(57)【要約】【課題】光通信システムにおいて伝送される光信号をモニタし、光アクセス網の構築または保守の良好な実施を可能とする光通信判別装置、光通信判別方法および端末局の敷設方法を提供する。【解決手段】光通信判別装置であって、光信号を電気信号に変換する光電変換部と、前記光電変換部によって変換された前記電気信号に基づいて、前記光信号の種類を判別する判別部とを備え、前記光通信判別装置は、前記光電変換部および前記判別部の組を、特定の光波長、特定の伝送レートおよび特定のフレーム形式の組み合わせに対応して複数備え、前記光通信判別装置は、さらに、前記光信号を分岐して各前記組の前記光電変換部へ出力する分岐回路と、前記各組の前記判別部による判別結果を提示する制御を行なう提示制御部とを備える。【選択図】図３
2015008456.tif 000002
【特許請求の範囲】
【請求項１】
光通信判別装置であって、
光信号を電気信号に変換する光電変換部と、
前記光電変換部によって変換された前記電気信号に基づいて、前記光信号の種類を判別する判別部とを備え、
前記光通信判別装置は、前記光電変換部および前記判別部の組を、特定の光波長、特定の伝送レートおよび特定のフレーム形式の組み合わせに対応して複数備え、
前記光通信判別装置は、さらに、
前記光信号を分岐して各前記組の前記光電変換部へ出力する分岐回路と、
前記各組の前記判別部による判別結果を提示する制御を行なう提示制御部とを備える、光通信判別装置。
【請求項２】
前記光通信判別装置は、さらに、
光ファイバを接続可能であり、前記光ファイバからの前記光信号を受ける光コネクタを備え、
前記分岐回路は、前記光コネクタ経由で受けた前記光信号を分岐して前記各組の前記光電変換部へ出力する、請求項１に記載の光通信判別装置。
【請求項３】
前記光通信判別装置は、さらに、
光ファイバから漏洩する前記光信号を受ける漏洩光受信部を備え、
前記分岐回路は、前記漏洩光受信部経由で受けた前記光信号を分岐して前記各組の前記光電変換部へ出力する、請求項１に記載の光通信判別装置。
【請求項４】
前記光通信判別装置は、さらに、
前記分岐回路経由で受けた前記光信号の強度を測定する測定部を備え、
前記提示制御部は、前記各組の前記判別部が前記光信号の種類を判別できず、かつ前記測定部によって測定された前記光信号の強度が所定の閾値以上である場合に、前記光信号の種類を判別できない旨を提示する制御を行なう、請求項１から請求項３のいずれか１項に記載の光通信判別装置。
【請求項５】
前記判別部は、前記光電変換部によって変換された前記電気信号に基づいて、前記光信号によるサービスの種類を判別する、請求項１から請求項４のいずれか１項に記載の光通信判別装置。
【請求項６】
受信した光信号を電気信号に変換するステップと、
変換した前記電気信号に基づいて、前記光信号の波長、前記光信号の伝送レートおよび前記光信号のフレーム形式を検出するステップと、
検出した結果に基づいて前記光信号の種類を判別するステップと、
判別した結果を提示するステップとを含む、光通信判別方法。
【請求項７】
親局と光ファイバ経由で光信号を送受信する端末局の敷設方法であって、
前記親局を稼働させるステップと、
前記光ファイバの端部のうち、前記端末局に接続される端部に、請求項１に記載の光通信判別装置の光コネクタを接続するステップと、
前記光通信判別装置を用いて、前記端末局と前記光ファイバとを接続することの可否を判定するステップと、
前記端末局と前記光ファイバとの接続が可であると判定した場合、前記端末局を前記光ファイバに接続するステップとを含む、端末局の敷設方法。
【発明の詳細な説明】
【技術分野】
【０００１】
本発明は、光通信判別装置、光通信判別方法および端末局の敷設方法に関し、特に、光信号の種類を判別する光通信判別装置、光通信判別方法、および光信号の判別結果を用いる端末局の敷設方法に関する。
【背景技術】
【０００２】
近年、インターネットが広く普及しており、利用者は世界各地で運営されているサイトの様々な情報にアクセスし、その情報を入手することが可能である。これに伴って、ＡＤＳＬ（Asymmetric Digital Subscriber Line）およびＦＴＴＨ（Fiber To The Home）等のブロードバンドアクセスが可能な装置も急速に普及してきている。
【０００３】
ＩＥＥＥ  Ｓｔｄ  ８０２．３ａｈ（登録商標）−２００４（非特許文献１）には、複数の宅側装置（ＯＮＵ：Optical Network Unit）が光通信回線を共有して局側装置（ＯＬＴ：Optical Line Terminal）とのデータ伝送を行なう媒体共有形通信である受動的光ネットワーク（ＰＯＮ：Passive Optical Network）の１つの方式が開示されている。すなわち、ＰＯＮを通過するユーザ情報およびＰＯＮを管理運用するための制御情報を含め、すべての情報がイーサネット（登録商標）フレームの形式で通信されるＥＰＯＮ（Ethernet（登録商標） PON）と、ＥＰＯＮのアクセス制御プロトコル（ＭＰＣＰ（Multi-Point Control Protocol））およびＯＡＭ（Operations Administration and Maintenance）プロトコルとが規定されている。局側装置と宅側装置との間でＭＰＣＰフレームをやり取りすることによって、宅側装置の加入、離脱、および上りアクセス多重制御などが行なわれる。また、非特許文献１では、ＭＰＣＰメッセージによる、新規宅側装置の登録方法、帯域割り当て要求を示すレポート、および送信指示を示すゲートについて記載されている。
【０００４】
なお、１ギガビット／秒の通信速度を実現するＥＰＯＮであるＧＥ−ＰＯＮの次世代の技術として、ＩＥＥＥ８０２．３ａｖ（登録商標）−２００９として標準化が行なわれた１０Ｇ−ＥＰＯＮすなわち通信速度が１０ギガビット／秒相当のＥＰＯＮにおいても、アクセス制御プロトコルはＭＰＣＰが前提となっている。
【先行技術文献】
【非特許文献】
【０００５】
【非特許文献１】IEEE Std 802.3ah（登録商標）-2004
【発明の概要】
【発明が解決しようとする課題】
【０００６】
ＰＯＮ等の光通信システムにおいて伝送される光信号をモニタし、光アクセス網の構築または保守の良好な実施を可能とする技術が望まれる。
【０００７】
この発明は、上述の課題を解決するためになされたもので、その目的は、光通信システムにおいて伝送される光信号をモニタし、光アクセス網の構築または保守の良好な実施を可能とする光通信判別装置、光通信判別方法および端末局の敷設方法を提供することである。
【課題を解決するための手段】
【０００８】
上記課題を解決するために、この発明のある局面に係わる光通信判別装置は、光通信判別装置であって、光信号を電気信号に変換する光電変換部と、前記光電変換部によって変換された前記電気信号に基づいて、前記光信号の種類を判別する判別部とを備え、前記光通信判別装置は、前記光電変換部および前記判別部の組を、特定の光波長、特定の伝送レートおよび特定のフレーム形式の組み合わせに対応して複数備え、前記光通信判別装置は、さらに、前記光信号を分岐して各前記組の前記光電変換部へ出力する分岐回路と、前記各組の前記判別部による判別結果を提示する制御を行なう提示制御部とを備える。
【０００９】
上記課題を解決するために、この発明のある局面に係わる光通信判別方法は、受信した光信号を電気信号に変換するステップと、変換した前記電気信号に基づいて、前記光信号の波長、前記光信号の伝送レートおよび前記光信号のフレーム形式を検出するステップと、検出した結果に基づいて前記光信号の種類を判別するステップと、判別した結果を提示するステップとを含む。
【００１０】
上記課題を解決するために、この発明のある局面に係わる端末局の敷設方法は、親局と光ファイバ経由で光信号を送受信する端末局の敷設方法であって、前記親局を稼働させるステップと、前記光ファイバの端部のうち、前記端末局に接続される端部に、請求項１に記載の光通信判別装置の光コネクタを接続するステップと、前記光通信判別装置を用いて、前記端末局と前記光ファイバとを接続することの可否を判定するステップと、前記端末局と前記光ファイバとの接続が可であると判定した場合、前記端末局を前記光ファイバに接続するステップとを含む。
【発明の効果】
【００１１】
本発明によれば、光通信システムにおいて伝送される光信号をモニタし、光アクセス網の構築または保守の良好な実施が可能となる。
【図面の簡単な説明】
【００１２】
【図１】図１は、光通信システムの一例であるＰＯＮシステムの構成を示す図である。
【図２】図２は、光通信システムの一例であるＭＣシステムの構成を示す図である。
【図３】図３は、本発明の第１の実施の形態に係る光通信判別装置の構成を示す図である。
【図４】図４は、本発明の第１の実施の形態に係る光通信判別装置による光通信方式の判別処理を示す図である。
【図５】図５は、本発明の第１の実施の形態に係る光通信判別装置による光通信方式の判別処理の具体例を示す図である。
【図６】図６は、本発明の第１の実施の形態に係る光通信判別装置の外観の一例を示す図である。
【図７】図７は、本発明の第１の実施の形態に係る光通信判別装置が光通信方式を判別する際の動作手順を定めたフローチャートである。
【図８】図８は、本発明の第１の実施の形態に係る光通信判別装置を用いた端末局の敷設手順を定めたフローチャートである。
【図９】図９は、本発明の第２の実施の形態に係る光通信判別装置の構成を示す図である。
【図１０】図１０は、本発明の第２の実施の形態に係る光通信判別装置の外観の一例を示す図である。
【図１１】図１１は、本発明の第３の実施の形態に係る光通信判別装置の構成を示す図である。
【発明を実施するための形態】
【００１３】
最初に、本発明の実施形態の内容を列記して説明する。
【００１４】
（１）本発明の実施形態に係る光通信判別装置は、光通信判別装置であって、光信号を電気信号に変換する光電変換部と、前記光電変換部によって変換された前記電気信号に基づいて、前記光信号の種類を判別する判別部とを備え、前記光通信判別装置は、前記光電変換部および前記判別部の組を、特定の光波長、特定の伝送レートおよび特定のフレーム形式の組み合わせに対応して複数備え、前記光通信判別装置は、さらに、前記光信号を分岐して各前記組の前記光電変換部へ出力する分岐回路と、前記各組の前記判別部による判別結果を提示する制御を行なう提示制御部とを備える。
【００１５】
このような構成により、親局からの光信号をモニタして、たとえば光アクセス通信方式を識別および提示することができるため、施工者またはユーザは、光アクセス網の光アクセス通信方式を確認した上で、端末局を光アクセス網に接続することができる。これにより、光アクセス網への端末局の誤接続を防止することができる。したがって、光通信システムにおいて伝送される光信号をモニタし、光アクセス網の構築または保守の良好な実施が可能となる。また、このような簡易な構成の判別用装置を用いて光アクセス網の光アクセス通信方式を確認することができるため、親局または端末局等を高機能化させることなく、低コストで光アクセス網への端末局の誤接続を防止することができる。
【００１６】
（２）好ましくは、前記光通信判別装置は、さらに、光ファイバを接続可能であり、前記光ファイバからの前記光信号を受ける光コネクタを備え、前記分岐回路は、前記光コネクタ経由で受けた前記光信号を分岐して前記各組の前記光電変換部へ出力する。
【００１７】
このような構成により、光通信システムにおける任意の位置で、ある程度大きい強度の光信号をモニタすることができるため、施工者またはユーザの作業場所の自由度を高めることができる。
【００１８】
（３）好ましくは、前記光通信判別装置は、さらに、光ファイバから漏洩する前記光信号を受ける漏洩光受信部を備え、前記分岐回路は、前記漏洩光受信部経由で受けた前記光信号を分岐して前記各組の前記光電変換部へ出力する。
【００１９】
このような構成により、光通信システムによる通信サービスの提供中または光通信システムのフィールド試験中において、光ファイバの接続先を変更することなく光信号をモニタすることができるため、光通信システムの接続状態および通信状態等を維持しながら、通信不良の原因を解析する等の作業を行なうことができる。
【００２０】
（４）好ましくは、前記光通信判別装置は、さらに、前記分岐回路経由で受けた前記光信号の強度を測定する測定部を備え、前記提示制御部は、前記各組の前記判別部が前記光信号の種類を判別できず、かつ前記測定部によって測定された前記光信号の強度が所定の閾値以上である場合に、前記光信号の種類を判別できない旨を提示する制御を行なう。
【００２１】
このような構成により、施工者またはユーザは、光通信判別装置が判別できない種類の光信号を、光通信判別装置が受信していることを認識することができるため、光通信システムにおける装置の誤接続をより確実に防止することができる。
【００２２】
（５）好ましくは、前記判別部は、前記光電変換部によって変換された前記電気信号に基づいて、前記光信号によるサービスの種類を判別する。
【００２３】
このような構成により、たとえば光アクセス通信方式を判別することに加えて、さらに光アクセス網の親局等を識別することができるため、光通信システムにおける装置の誤接続をより確実に防止することができる。
【００２４】
（６）本発明の実施形態に係る光通信判別方法は、受信した光信号を電気信号に変換するステップと、変換した前記電気信号に基づいて、前記光信号の波長、前記光信号の伝送レートおよび前記光信号のフレーム形式を検出するステップと、検出した結果に基づいて前記光信号の種類を判別するステップと、判別した結果を提示するステップとを含む。
【００２５】
このような方法により、親局からの光信号をモニタして、たとえば光アクセス通信方式を識別および提示することができるため、施工者またはユーザは、光アクセス網の光アクセス通信方式を確認した上で、端末局を光アクセス網に接続することができる。これにより、光アクセス網への端末局の誤接続を防止することができる。したがって、光通信システムにおいて伝送される光信号をモニタし、光アクセス網の構築または保守の良好な実施が可能となる。また、このような簡易な方法により光アクセス網の光アクセス通信方式を確認することができるため、親局または端末局等を高機能化させることなく、低コストで光アクセス網への端末局の誤接続を防止することができる。
【００２６】
（７）本発明の実施形態に係る端末局の敷設方法は、親局と光ファイバ経由で光信号を送受信する端末局の敷設方法であって、前記親局を稼働させるステップと、前記光ファイバの端部のうち、前記端末局に接続される端部に、上記（１）に記載の光通信判別装置の光コネクタを接続するステップと、前記光通信判別装置を用いて、前記端末局と前記光ファイバとを接続することの可否を判定するステップと、前記端末局と前記光ファイバとの接続が可であると判定した場合、前記端末局を前記光ファイバに接続するステップとを含む。
【００２７】
このような方法により、親局からの光信号をモニタして、たとえば光アクセス通信方式を識別および提示することができるため、施工者またはユーザは、光アクセス網の光アクセス通信方式を確認した上で、端末局を光アクセス網に接続することができる。これにより、光アクセス網への端末局の誤接続を防止することができる。したがって、光通信システムにおいて伝送される光信号をモニタし、光アクセス網の構築または保守の良好な実施が可能となる。また、このような簡易な方法により光アクセス網の光アクセス通信方式を確認することができるため、親局または端末局等を高機能化させることなく、低コストで光アクセス網への端末局の誤接続を防止することができる。
【００２８】
以下、本発明の実施の形態について図面を用いて説明する。なお、図中同一または相当部分には同一符号を付してその説明は繰り返さない。
【００２９】
＜第１の実施の形態＞
［課題］
光アクセス通信方式には、ＩＥＥＥおよびＩＴ−Ｕ等で標準化された方式、ならびに独自方式等、様々な方式がある。具体的には、たとえば、ＰＯＮ等のポイントツーマルチポイント型の他に、ポイントツーポイント型の光アクセス通信方式がある。
【００３０】
このような各種方式の光アクセス網が混在している場合、ある方式の光アクセス網に対して、施工者またはユーザが誤って違う光通信方式に対応した端末局を接続する可能性がある。
【００３１】
そして、施工者またはユーザが誤った端末局を光アクセス網に接続した場合、当該端末局は通信が行なえない。さらに、ポイントツーポイント型の方式に対応した端末局をＰＯＮに接続した場合、当該端末局は連続的に発光することから、ＰＯＮ全体が通信できない状態となってしまう。
【００３２】
そこで、本発明の第１の実施の形態に係る光通信判別装置では、以下のような構成および動作により、上記課題を解決する。
【００３３】
図１は、光通信システムの一例であるＰＯＮシステムの構成を示す図である。
【００３４】
図１を参照して、ＰＯＮシステム４０１は、親局である局側装置３０１と、端末局であるＯＮＵ２０２Ａ〜２０２Ｇと、複数のスプリッタＳＰとを備える。
【００３５】
ＰＯＮシステム４０１では、上位ネットワークに接続された局側装置と、複数のＯＮＵとが光ファイバでツリー状に接続される。具体的には、ＯＮＵ２０２Ａ〜２０２Ｇと局側装置３０１とは、スプリッタＳＰおよび分岐された光ファイバＯＰＴＦを介して接続され、互いに光信号を送受信する。この光信号には、通信情報等が格納されたフレームが含まれる。ＰＯＮシステム４０１では、ＯＮＵ２０２Ａ〜２０２Ｇから局側装置３０１への光信号が時分割多重される。
【００３６】
なお、ＰＯＮシステム４０１は、少数またはさらに多数のＯＮＵおよびスプリッタを備えてもよい。
【００３７】
図２は、光通信システムの一例であるＭＣシステムの構成を示す図である。
【００３８】
図２を参照して、ＭＣシステム４１１は、親局３１１と、端末局２１２とを備える。
【００３９】
ＭＣシステム４１１では、上位ネットワークに接続された親局３１１と、端末局２１２とが光ファイバで１対１に接続される。具体的には、親局３１１と端末局２１２とは、光ファイバＯＰＴＦを介して接続され、互いに光信号を送受信する。この光信号には、通信情報等が格納されたフレームが含まれる。ＭＣシステム４１１では、親局３１１および端末局２１２間で光信号が連続的に送信される。
【００４０】
図３は、本発明の第１の実施の形態に係る光通信判別装置の構成を示す図である。
【００４１】
図３を参照して、光通信判別装置１０１は、光コネクタ１１と、分岐回路１２と、提示制御部１６と、表示回路１７と、インタフェース回路１８とを備える。また、光通信判別装置１０１は、光電変換部１３、ＣＤＲ（Clock and Data Recovery）１４および判別部１５の組を、特定の光波長、特定の伝送レートおよび特定のフレーム形式の組み合わせに対応してｎ個備える。具体的には、光通信判別装置１０１は、光電変換部＃１〜＃ｎと、ＣＤＲ＃１〜＃ｎと、判別部＃１〜＃ｎとを備える。ここで、ｎは２以上の自然数である。
【００４２】
光通信判別装置１０１は、ＰＯＮシステム４０１およびＭＣシステム４１１等の光通信システムにおいて用いられる。より詳細には、光通信判別装置１０１は、親局から送信される光信号を判別する。施工者またはユーザは、光アクセス網への端末局の接続の際に、光通信判別装置１０１を用いて、当該接続の可否を確認する。
【００４３】
光通信判別装置１０１において、光コネクタ１１は、光ファイバＯＰＴＦに接続可能であり、光ファイバＯＰＴＦからの光信号を受ける。より詳細には、たとえば、光コネクタ１１は、光ファイバＯＰＴＦの端部であるコネクタに脱着可能に接続される。
【００４４】
分岐回路１２は、光コネクタ１１経由で受けた光信号を分岐して各組の光電変換部１３へ出力する。
【００４５】
光電変換部１３は、受光素子を含み、分岐回路１２から受けた光信号を電気信号に変換して対応のＣＤＲ１４へ出力する。より詳細には、たとえば、ｎ個の光電変換部１３は、それぞれ対応の波長の光信号を電気信号に変換する。すなわち、光電変換部１３は、分岐回路１２から出力される光信号のうち、特定の波長の光信号を通過させて電気信号として出力する。なお、１つの光電変換部１３が、１種類の波長に限らず、複数種類の波長の光信号を電気信号に変換可能であってもよい。
【００４６】
ＣＤＲ１４は、対応の光電変換部１３から受けた電気信号からクロックを抽出し、抽出したクロックのタイミングに従って当該電気信号をサンプリングすることにより、受信データを生成して対応の判別部１５へ出力する。より詳細には、たとえば、ｎ個のＣＤＲ１４は、それぞれ対応の伝送レートの光信号から受信データを生成する。すなわち、ＣＤＲ１４は、分岐回路１２から出力される光信号のうち、特定の伝送レートの光信号を通過させて当該伝送レートの受信データとして出力する。なお、ＣＤＲ１４は、１種類の伝送レートに限らず、複数種類の伝送レートの電気信号から受信データを生成可能であってもよい。
【００４７】
判別部１５は、対応のＣＤＲ１４から出力される受信データを用いて、光信号のフレーム形式を判別し、光信号の種類を判別する。より詳細には、判別部１５は、対応の光電変換部１３が通過させる光信号の波長、および対応のＣＤＲ１４が通過させる光信号の伝送レートを記憶しており、これらの記憶内容、および判別したフレーム形式に基づいて、光信号の種類を判別する。判別部１５は、判別した光信号の種類を提示制御部１６に通知する。
【００４８】
提示制御部１６は、判別部１５による判別結果を施工者またはユーザに提示する制御を行なう。より詳細には、たとえば、提示制御部１６は、各組の判別部１５から通知された光信号の種類をＬＥＤまたはＬＣＤ等の表示回路１７に表示させる制御を行なう。また、たとえば、提示制御部１６は、各組の判別部１５から通知された光信号の種類の情報をインタフェース回路１８経由でＰＣ等の外部装置へ送信する。ＰＣ等の外部装置は、提示制御部１６から受けた情報をそのままもしくは加工して表示するか、または保存する。
【００４９】
なお、光信号の波長によるフィルタリングを上記のように光電変換部１３において行なう構成に限らず、分岐回路１２が、光信号の波長によるフィルタリングを行い、特定の波長の光信号を、当該波長に対応する光電変換部１３へ出力する構成であってもよい。この場合、分岐回路１２における光信号の分岐ロスを低減することができる。但し、光通信判別装置１０１では、エラーフリーであることが要求される端末局と比べて、要求される光信号のパワーは低いと考えられる。
【００５０】
ここで、判別部１５が判別する光信号の種類、すなわち光アクセス通信方式には、たとえば以下のような方式がある。
【００５１】
すなわち、ＰＯＮシステムとして、ＩＥＥＥ８０２．３ａｈで規定されたＧＥ−ＰＯＮがあり、親局から端末局への光信号について、伝送レートは１．２５Ｇｂｐｓであり、波長は１４９０ｎｍである。また、ＩＥＥＥ８０２．３ａｖで規定された１０Ｇ−ＥＰＯＮがあり、親局から端末局への光信号について、伝送レートは１０Ｇｂｐｓであり、波長は１５７７ｎｍである。また、ＩＴＵ−Ｔ  Ｇ．９８４．１で規定されたＧＰＯＮがあり、親局から端末局への光信号について、伝送レートは１．２５Ｇｂｐｓまたは２．５Ｇｂｐｓであり、波長は１４９０ｎｍである。また、ＩＴＵ−Ｔ  Ｇ．９８３．１で規定されたＢＰＯＮがあり、親局から端末局への光信号について、伝送レートは１５５Ｍｂｐｓ、６２５Ｍｂｐｓまたは１．２５Ｇｂｐｓであり、波長は１５５０ｎｍである。
【００５２】
また、ＭＣシステムとして、ＴＳ−１０００で規定されたＴＳ−１０００があり、親局から端末局への光信号について、伝送レートは１２５Ｍｂｐｓであり、波長は１５５０ｎｍである。また、ＩＥＥＥ８０２．３ａｈで規定されたＧＥ−ＭＣがあり、親局から端末局への光信号について、伝送レートは１．２５Ｇｂｐｓであり、波長は１４９０ｎｍである。
【００５３】
上記の他にも、ＰＯＮシステムまたはＭＣシステムとして、独自方式の光アクセス通信方式が存在する場合がある。
【００５４】
図４は、本発明の第１の実施の形態に係る光通信判別装置による光通信方式の判別処理を示す図である。
【００５５】
図４を参照して、光通信判別装置１０１において、まず、各組の光電変換部１３およびＣＤＲ１４は、光信号の波長および伝送レートを判別する。すなわち、＃１〜＃ｎの光電変換部１３およびＣＤＲ１４のうち、いずれの組で光信号が受信できるかにより、光信号の波長および伝送レートが判別される。
【００５６】
これにより、光通信判別装置１０１は、初期状態から光受信１〜ｎのうちのいずれかの状態へ遷移する。
【００５７】
次に、各組の判別部１５は、光信号のフレーム形式を判別する。すなわち、＃１〜＃ｎの判別部１５は、対応のＣＤＲ１４から受けた受信データに所定の情報が含まれているか否か等に基づいて、受信データに含まれるフレームのフォーマット等を判別する。
【００５８】
これにより、光通信判別装置１０１は、判別した波長、伝送レートおよびフレーム形式の組み合わせに対応する方式１〜方式Ｙのうちのいずれかの状態へ遷移する。
【００５９】
次に、提示制御部１６は、判別部１５によって判別された光通信方式をたとえば表示回路１７に表示させる制御を行なう。
【００６０】
図５は、本発明の第１の実施の形態に係る光通信判別装置による光通信方式の判別処理の具体例を示す図である。
【００６１】
図５を参照して、光通信判別装置１０１は、波長が１４９０ｎｍであり、伝送レートが１．２５Ｇｂｐｓまたは２．５Ｇｂｐｓの光信号を受信すると、たとえば光電変換部＃１およびＣＤＲ＃１が当該光信号を受信する光受信１の状態へ遷移する。
【００６２】
次に、光通信判別装置１０１における判別部＃１は、ＣＤＲ＃１から受ける受信データを解析した結果、一定期間においてアイドルパターンのみが受信データに含まれているか、または一定期間においてＥＰＯＮ用およびＧＰＯＮ用のフレームでないフレームを受信した場合、光通信方式としてＧＥ−ＭＣの光信号を受信したと判断する。
【００６３】
また、判別部＃１は、ＣＤＲ＃１から受ける受信データを解析した結果、一定期間においてＥＰＯＮ用のフレームを受信した場合、光通信方式としてＧＥ−ＰＯＮの光信号を受信したと判断する。
【００６４】
また、判別部＃１は、ＣＤＲ＃１から受ける受信データを解析した結果、一定期間においてＧＰＯＮ用のフレームを受信した場合、光通信方式としてＧ−ＰＯＮの光信号を受信したと判断する。
【００６５】
そして、提示制御部１６は、判別部１５によって判別されたＧＥ−ＭＣ、ＧＥ−ＰＯＮまたはＧ−ＰＯＮをたとえば表示回路１７に表示させる制御を行なう。
【００６６】
他の例として、光通信判別装置１０１は、波長が１５５０ｎｍであり、伝送レートが１２５Ｍｂｐｓまたは１５５．５２Ｍｂｐｓの光信号を受信すると、たとえば光電変換部＃ｎおよびＣＤＲ＃ｎが当該光信号を受信する光受信ｎの状態へ遷移する。
【００６７】
次に、光通信判別装置１０１における判別部＃ｎは、ＣＤＲ＃ｎから受ける受信データを解析した結果、一定期間においてアイドルパターンのみが受信データに含まれているか、または一定期間においてＢＰＯＮ用のフレームでないフレームを受信した場合、光通信方式としてＦＥ−ＭＣの光信号を受信したと判断する。
【００６８】
また、判別部＃ｎは、ＣＤＲ＃ｎから受ける受信データを解析した結果、一定期間においてＢＰＯＮ用のフレームを受信した場合、光通信方式としてＢ−ＰＯＮの光信号を受信したと判断する。
【００６９】
そして、提示制御部１６は、判別部１５によって判別されたＦＥ−ＭＣまたはＢ−ＰＯＮをたとえば表示回路１７に表示させる制御を行なう。
【００７０】
ここで、ＰＯＮシステム４０１では、ＯＮＵ２０２を局側装置３０１において登録するためのディスカバリフレームが局側装置３０１から光ファイバＯＰＴＦへ定期的に送信される。そして、ＥＰＯＮでは、ディスカバリフレーム内に固定パターンが存在する。また、ディスカバリフレームが格納されるイーサネット（登録商標）フレームの前に固有パターンであるＰＯＮプリアンブルが付加される。ＰＯＮプリアンブルは、ＬＬＩＤによって値が変わる。また、イーサネット（登録商標）フレームのヘッダにタイプ番号として固定パターンが挿入される。また、ＭＣシステム４１１では、イーサネット（登録商標）フレームの前に、ＰＯＮプリアンブルでない、固定パターンであるプリアンブルが付加される。
【００７１】
また、ＧＰＯＮシステムおよびＢＰＯＮシステムでは、親局３１１から端末局２１２へフレームが連続的に送信され、このフレーム内に同期用の固定パターンが存在する。
【００７２】
ＰＯＮシステム４０１およびＭＣシステム４１１におけるアイドルパターンは、同じ固定パターンの場合もあれば、互いに異なる固定パターンの場合もある。たとえば、ＥＰＯＮおよびＭＣシステムではアイドルパターンが同じであり、ＧＰＯＮおよびＭＣシステムではアイドルパターンが異なる。
【００７３】
判別部１５は、上記固有パターンまたは固定パターンが受信データに含まれているか否かを確認することにより、光信号のフレーム形式を判別する。
【００７４】
また、上記一定期間として、たとえばディスカバリフレームが送信される間隔より長い値が設定される。
【００７５】
また、たとえば、判別部１５は、光アクセス通信方式を判別することに加えて、さらに、ＣＤＲ１４から受けた受信データを解析することにより、同じ光アクセス通信方式において、光信号によるサービスの種類を判別する。
【００７６】
判別部１５は、たとえば、ディスカバリフレームに含まれるＬＬＩＤ等、同じフレームフォーマットにおける識別子に基づいて、光信号によるサービスの種類を判別する。
【００７７】
提示制御部１６は、判別部１５から通知された光信号によるサービスの種類をＬＥＤまたはＬＣＤ等の表示回路１７に表示させる制御を行なう。
【００７８】
これにより、施工者またはユーザは、たとえば、光ファイバＯＰＴＦの接続先の親局が、どのようなサービスを提供するための親局であるかを認識することができ、端末局の接続先として正しい親局が光ファイバＯＰＴＦに接続されているか等を確認することができる。
【００７９】
また、たとえば、光通信判別装置１０１は、上記のような光アクセス通信方式の判別動作を継続して行い、判別結果の提示内容を更新し続ける。
【００８０】
図６は、本発明の第１の実施の形態に係る光通信判別装置の外観の一例を示す図である。
【００８１】
図６を参照して、光通信判別装置１０１は、たとえばハンディタイプの装置であり、直方体形状の筐体６１を備える。筐体６１のある側面には、光コネクタ１１が設けられている。また、筐体６１の他の側面には、表示回路１７として、複数のＬＥＤ３１が設けられている。各ＬＥＤ３１の横側には、たとえば番号が付される。
【００８２】
施工者またはユーザは、光通信判別装置１０１を起動し、光ファイバＯＰＴＦを光コネクタ１１に接続した後、点灯したＬＥＤ３１の番号から、光信号の種類を認識することが可能である。
【００８３】
なお、光通信判別装置１０１は、１つの光アクセス通信方式を判別して表示する場合が多いと考えられるが、複数の光アクセス通信方式を判別した場合、複数のＬＥＤ３１を同時に点灯させてもよい。
【００８４】
図７は、本発明の第１の実施の形態に係る光通信判別装置が光通信方式を判別する際の動作手順を定めたフローチャートである。
【００８５】
図７を参照して、まず、光通信判別装置１０１は、光ファイバＯＰＴＦからの光信号を光コネクタ１１経由で受信する（ステップＳ１）。
【００８６】
次に、光通信判別装置１０１は、受信した光信号を電気信号に変換することにより、当該光信号の波長を判別する（ステップＳ２）。
【００８７】
次に、光通信判別装置１０１は、変換した電気信号からクロックを抽出し、当該電気信号をサンプリングすることにより、受信データを生成し、当該光信号の伝送レートを判別する（ステップＳ３）。
【００８８】
次に、光通信判別装置１０１は、生成した受信データを解析することにより、光信号のフレーム形式を判別する（ステップＳ４）。
【００８９】
次に、光通信判別装置１０１は、判別した光信号の波長、伝送レートおよびフレーム形式に基づいて、光信号の種類すなわち光アクセス通信方式を判別する（ステップＳ５）。
【００９０】
次に、光通信判別装置１０１は、判別した光アクセス通信方式を施工者またはユーザに提示する（ステップＳ６）。
【００９１】
図８は、本発明の第１の実施の形態に係る光通信判別装置を用いた端末局の敷設手順を定めたフローチャートである。
【００９２】
図８を参照して、まず、親局を稼働させ、親局に光ファイバＯＰＴＦの端部が接続された状態とする（ステップＳ１１）。
【００９３】
次に、端末局を光ファイバＯＰＴＦに接続する前に、光ファイバＯＰＴＦの端末局側の端部に、光通信判別装置１０１の光コネクタ１１を接続する（ステップＳ１２）。
【００９４】
次に、図４または図５で説明したように、光通信判別装置１０１を用いて親局からの光信号の種類を判別し、判別結果に基づいて、端末局を光ファイバＯＰＴＦに接続することの可否を判定する。なお、この可否判定は、ＰＣ等の外部装置が行なってもよい（ステップＳ１３）。
【００９５】
次に、端末局を光ファイバＯＰＴＦに接続しても良いと判定した場合、端末局を光ファイバＯＰＴＦに接続し（ステップＳ１４）、当該端末局を稼働させる（ステップＳ１５）。
【００９６】
なお、本発明の第１の実施の形態に係る光通信判別装置は、ＣＤＲ１４を備える構成であるとしたが、これに限定するものではない。たとえば、クロックの抽出が不要な光通信システムにおいて光通信判別装置１０１が用いられる場合、光通信判別装置１０１は、ＣＤＲ１４を備えない構成であってもよい。この場合、判別部１５は、たとえば、対応の光電変換部１３によって変換された電気信号に基づいて光信号の伝送レートおよびフレーム形式を判別する。
【００９７】
また、本発明の第１の実施の形態に係る光通信判別装置は、複数の光アクセス通信方式を判別可能な構成であるとしたが、これに限定するものではない。光通信判別装置１０１は、１つの光アクセス通信方式を判別可能な構成であってもよい。
【００９８】
ところで、各種方式の光アクセス網が混在している場合、ある方式の光アクセス網に対して、施工者またはユーザが誤って違う光通信方式に対応した端末局を接続する可能性がある。そして、施工者またはユーザが誤った端末局を光アクセス網に接続した場合、当該端末局は通信が行なえない。さらに、ポイントツーポイント型の方式に対応した端末局をＰＯＮに接続した場合、当該端末局は連続的に発光することから、ＰＯＮ全体が通信できない状態となってしまう。
【００９９】
また、ＰＯＮシステムおよびＭＣシステムにおいてそれぞれ用いられる光ファイバ用のコネクタは、相互に利用可能である場合が多い。このため、光アクセス網に子局を誤接続する可能性は高い。
【０１００】
これに対して、本発明の第１の実施の形態に係る光通信判別装置では、光電変換部１３は、光信号を電気信号に変換する。判別部１５は、光電変換部１３によって変換された電気信号に基づいて、当該光信号の種類を判別する。光電変換部１３および判別部１５の組は、特定の光波長、特定の伝送レートおよび特定のフレーム形式の組み合わせに対応して複数設けられる。分岐回路１２は、光信号を分岐して各組の光電変換部１３へ出力する。そして、提示制御部１６は、各組の判別部１５による判別結果を提示する制御を行なう。
【０１０１】
このような構成により、親局からの光信号をモニタして、たとえば光アクセス通信方式を識別および提示することができるため、施工者またはユーザは、光アクセス網の光アクセス通信方式を確認した上で、端末局を光アクセス網に接続することができる。これにより、光アクセス網への端末局の誤接続を防止することができる。
【０１０２】
したがって、本発明の第１の実施の形態に係る光通信判別装置では、光通信システムにおいて伝送される光信号をモニタし、光アクセス網の構築または保守の良好な実施が可能となる。
【０１０３】
また、このような簡易な構成の判別用装置を用いて光アクセス網の光アクセス通信方式を確認することができるため、親局または端末局等を高機能化させることなく、低コストで光アクセス網への端末局の誤接続を防止することができる。
【０１０４】
また、本発明の第１の実施の形態に係る光通信判別装置では、光コネクタ１１は、光ファイバＯＰＴＦを接続可能であり、光ファイバＯＰＴＦからの光信号を受ける。分岐回路１２は、光コネクタ１１経由で受けた光信号を分岐して各組の光電変換部１３へ出力する。
【０１０５】
このような構成により、光通信システムにおける任意の位置で、ある程度大きい強度の光信号をモニタすることができるため、施工者またはユーザの作業場所の自由度を高めることができる。
【０１０６】
また、本発明の第１の実施の形態に係る光通信判別装置では、判別部１５は、光電変換部１３によって変換された電気信号に基づいて、上記光信号によるサービスの種類を判別する。
【０１０７】
このような構成により、たとえば光アクセス通信方式を判別することに加えて、さらに光アクセス網の親局等を識別することができるため、光通信システムにおける装置の誤接続をより確実に防止することができる。
【０１０８】
また、本発明の第１の実施の形態に係る光通信判別方法では、まず、受信した光信号を電気信号に変換する。次に、変換した電気信号に基づいて、当該光信号の波長、当該光信号の伝送レートおよび当該光信号のフレーム形式を検出する。次に、検出した結果に基づいて当該光信号の種類を判別する。次に、判別した結果を提示する。
【０１０９】
また、本発明の第１の実施の形態に係る端末局の敷設方法では、まず、親局を稼働させる。次に、光ファイバの端部のうち、端末局に接続される端部に、光通信判別装置１０１の光コネクタ１１を接続する。次に、光通信判別装置１０１を用いて、端末局と光ファイバとを接続することの可否を判定する。次に、端末局と光ファイバとの接続が可であると判定した場合、当該端末局を光ファイバに接続する。
【０１１０】
このような方法により、親局からの光信号をモニタして、たとえば光アクセス通信方式を識別および提示することができるため、施工者またはユーザは、光アクセス網の光アクセス通信方式を確認した上で、端末局を光アクセス網に接続することができる。これにより、光アクセス網への端末局の誤接続を防止することができる。
【０１１１】
したがって、本発明の第１の実施の形態に係る光通信判別方法および端末局の敷設方法では、光通信システムにおいて伝送される光信号をモニタし、光アクセス網の構築または保守の良好な実施が可能となる。
【０１１２】
また、このような簡易な方法により光アクセス網の光アクセス通信方式を確認することができるため、親局または端末局等を高機能化させることなく、低コストで光アクセス網への端末局の誤接続を防止することができる。
【０１１３】
次に、本発明の他の実施の形態について図面を用いて説明する。なお、図中同一または相当部分には同一符号を付してその説明は繰り返さない。
【０１１４】
＜第２の実施の形態＞
本実施の形態は、第１の実施の形態に係る光通信判別装置と比べて測定機能を追加した光通信判別装置に関する。以下で説明する内容以外は第１の実施の形態に係る光通信判別装置と同様である。
【０１１５】
図９は、本発明の第２の実施の形態に係る光通信判別装置の構成を示す図である。
【０１１６】
図９を参照して、光通信判別装置１０２は、本発明の第１の実施の形態に係る光通信判別装置と比べて、さらに、分岐回路１９と、測定部２２とを備える。測定部２２は、受光素子２０と、光パワー演算部２１とを含む。
【０１１７】
分岐回路１９は、光コネクタ１１経由で受けた光信号を分岐して分岐回路１２および測定部２２へ出力する。たとえば、分岐回路１９は、各光電変換部１３への光信号の強度が小さくならないように、測定部２２へ出力する光信号の強度と分岐回路１２へ出力する光信号の強度との比をたとえば１：９に設定する。
【０１１８】
分岐回路１２は、分岐回路１９から受けた光信号を分岐して各組の光電変換部１３へ出力する。
【０１１９】
測定部２２は、分岐回路１９から受けた光信号の強度を測定し、測定結果を提示制御部１６に通知する。
【０１２０】
より詳細には、受光素子２０は、たとえばフォトダイオードであり、分岐回路１９から受けた光信号を電流に変換して出力する。
【０１２１】
光パワー演算部２１は、受光素子２０の出力電流から光信号の強度を算出して提示制御部１６に通知する。たとえば、光パワー演算部２１は、分岐回路１９における光信号の分岐損失を考慮して、光通信判別装置１０２が受信した光信号の強度を算出し、算出結果を提示制御部１６に通知する。
【０１２２】
提示制御部１６は、判別部１５による判別結果に加えて、測定部２２による測定結果を施工者またはユーザに提示する制御を行なう。より詳細には、たとえば、提示制御部１６は、光パワー演算部２１から通知された光信号の強度をＬＣＤ等の表示回路１７に表示させる制御を行なう。また、たとえば、提示制御部１６は、光パワー演算部２１から通知された光信号の強度の情報をインタフェース回路１８経由でＰＣ等の外部装置へ送信する。ＰＣ等の外部装置は、提示制御部１６から受けた情報をそのままもしくは加工して表示するか、または保存する。
【０１２３】
このような構成により、光アクセス通信方式の判別および光信号のパワー測定を、１つの装置で行なうことができ、施工者およびユーザの利便性を高めることができる。
【０１２４】
また、光通信判別装置１０２では、分岐回路１９を分岐回路１２と別個に設けることにより、光信号の強度の測定部分を取り外し可能な構成を容易に実現することができる。なお、光通信判別装置１０２が分岐回路１９を備えない場合、測定部２２は、分岐回路１２から受けた光信号の強度を測定する。
【０１２５】
また、たとえば、提示制御部１６は、各組の判別部１５が光信号の種類を判別できず、かつ測定部２２によって測定された光信号の強度が所定の閾値以上である場合に、光信号の種類を判別できない旨を提示する制御を行なう。
【０１２６】
図１０は、本発明の第２の実施の形態に係る光通信判別装置の外観の一例を示す図である。
【０１２７】
図１０を参照して、光通信判別装置１０２において、ＬＥＤ３１が設けられる筐体６１の側面には、さらに、表示回路１７として、パワー表示用のＬＣＤ３２と、エラー表示用のＬＥＤ３３とが設けられている。ＬＥＤ３３の横側には、たとえば「ＥＲＲ」の文字が付される。
【０１２８】
施工者またはユーザは、光通信判別装置１０２を起動し、光ファイバＯＰＴＦを光コネクタ１１に接続した後、ＬＣＤ３２の表示から、光信号の受信強度を確認することが可能である。また、施工者またはユーザは、ＬＥＤ３３が点灯することにより、光通信判別装置１０２が判別できない種類の光信号を、光通信判別装置１０２が受信していることを認識することが可能である。
【０１２９】
このように、本発明の第２の実施の形態に係る光通信判別装置では、測定部２２は、分岐回路１９経由で受けた光信号の強度を測定する。そして、提示制御部１６は、各組の判別部１５が当該光信号の種類を判別できず、かつ測定部２２によって測定された当該光信号の強度が所定の閾値以上である場合に、光信号の種類を判別できない旨を提示する制御を行なう。
【０１３０】
このような構成により、施工者またはユーザは、光通信判別装置１０２が判別できない種類の光信号を、光通信判別装置１０２が受信していることを認識することができるため、光通信システムにおける装置の誤接続をより確実に防止することができる。
【０１３１】
その他の構成および動作は第１の実施の形態に係る光通信判別装置と同様であるため、ここでは詳細な説明を繰り返さない。
【０１３２】
次に、本発明の他の実施の形態について図面を用いて説明する。なお、図中同一または相当部分には同一符号を付してその説明は繰り返さない。
【０１３３】
＜第３の実施の形態＞
本実施の形態は、第１の実施の形態に係る光通信判別装置と比べて光信号の取得方法を変更した光通信判別装置に関する。以下で説明する内容以外は第１の実施の形態および第２の実施の形態に係る光通信判別装置と同様である。
【０１３４】
たとえば、光通信システムによる通信サービスの提供中または光通信システムのフィールド試験中において、端末局が親局と通信を行なえない不具合が発生している場合、通信不良の原因を解析するために、光ファイバを通して伝送される光信号をモニタしたい場合がある。
【０１３５】
本発明の第３の実施の形態に係る光通信判別装置では、上記のような場合に有用な構成を提供する。
【０１３６】
図１１は、本発明の第３の実施の形態に係る光通信判別装置の構成を示す図である。
【０１３７】
図１１を参照して、光通信判別装置１０３は、本発明の第１の実施の形態に係る光通信判別装置と比べて、光コネクタ１１の代わりに漏洩光受信部２３を備える。
【０１３８】
漏洩光受信部２３は、たとえば、光ファイバＯＰＴＦを把持可能な把持部を含む。光ファイバＯＰＴＦは、把持部によって把持されている状態においてその一部が曲げられる。漏洩光受信部２３は、さらに、たとえば集光レンズを含む。集光レンズは、光ファイバＯＰＴＦの曲げられた部分から漏洩する光を集光して分岐回路１２に放射する。
【０１３９】
分岐回路１２は、漏洩光受信部２３経由で受けた光信号を分岐して各組の光電変換部１３へ出力する。
【０１４０】
ところで、たとえば、光通信システムによる通信サービスの提供中または光通信システムのフィールド試験中において、端末局が親局と通信を行なえない不具合が発生している場合、通信不良の原因を解析するために、光ファイバを通して伝送される光信号をモニタしたい場合がある。
【０１４１】
そこで、本発明の第３の実施の形態に係る光通信判別装置では、漏洩光受信部２３は、光ファイバＯＰＴＦから漏洩する光信号を受ける。そして、分岐回路１２は、漏洩光受信部２３経由で受けた光信号を分岐して各組の光電変換部１３へ出力する。
【０１４２】
このような構成により、光通信システムによる通信サービスの提供中または光通信システムのフィールド試験中において、光ファイバの接続先を変更することなく光信号をモニタすることができるため、光通信システムの接続状態および通信状態等を維持しながら、通信不良の原因を解析する等の作業を行なうことができる。
【０１４３】
したがって、本発明の第３の実施の形態に係る光通信判別装置では、光通信システムにおいて伝送される光信号をモニタし、光アクセス網の構築または保守の良好な実施が可能となる。
【０１４４】
その他の構成および動作は第１の実施の形態および第２の実施の形態に係る光通信判別装置と同様であるため、ここでは詳細な説明を繰り返さない。
【０１４５】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１４６】
１１  光コネクタ
１２  分岐回路
１３  光電変換部
１４  ＣＤＲ
１５  判別部
１６  提示制御部
１７  表示回路
１８  インタフェース回路
１９  分岐回路
２０  受光素子
２１  光パワー演算部
２２  測定部
２３  漏洩光受信部
３１，３３  ＬＥＤ
３２  ＬＣＤ
６１  筐体
１０１〜１０３  光通信判別装置
２０２，２０２Ａ，２０２Ｂ，２０２Ｃ，２０２Ｄ，２０２Ｅ，２０２Ｆ，２０２Ｇ  ＯＮＵ（端末局）
２１２  端末局
３０１  局側装置（親局）
３１１  親局
４０１  ＰＯＮシステム
４１１  ＭＣシステム
ＳＰ  スプリッタ
ＯＰＴＦ  光ファイバ
【図１】
2015008456.tif 000003
【図２】
2015008456.tif 000004
【図３】
2015008456.tif 000005
【図４】
2015008456.tif 000006
【図５】
2015008456.tif 000007
【図６】
2015008456.tif 000008
【図７】
2015008456.tif 000009
【図８】
2015008456.tif 000010
【図９】
2015008456.tif 000011
【図１０】
2015008456.tif 000012
【図１１】
2015008456.tif 000013